(57)【要約】  【課題】  待機時における消費電力を削減することができる機能を有するスイッチング電源装置を提供する。  【解決手段】  電源のオフ指示があると、マイコン３からはＨレベルのパワーオフ信号が出力され、これにより、発振動作制御回路４のトランジスタ７５はオン動作を行ってフォトカプラ７６を駆動させ、フォトカプラ７６からパワーオフに対応するＬレベル信号が出力される。このＬレベル信号を受けたＦＥＴ１４は動作が停止し、この結果、メイン電源生成回路１は発振動作が停止して、メイン電源の生成が行われず、サブ電源生成回路２からの待機用のサブ電源のみがマイコン３に供給される。このように、待機時にはメイン電源生成回路１の発振動作は停止し、これにより、待機時における消費電力を削減することができる。【選択図】      図１
2006014508.tif 000002
【特許請求の範囲】
【請求項１】
負荷となる電子機器に対して、通常動作用のメイン電源と待機用のサブ電源とを供給す
ることが可能なスイッチング電源装置において、
第１のトランスの１次巻線と第１のスイッチング素子とを含む発振回路を構成し、商用
電源からの交流電圧を整流・平滑した直流電圧を入力して前記発振回路の発振動作によっ
て前記第１のトランスの２次巻線に電圧を誘起し、誘起した電圧を、電子機器の各部に供
給する通常動作用のメイン電源として出力するメイン電源生成回路と、
第２のトランスの１次巻線と第２のスイッチング素子とを含む発振回路を構成し、商用
電源からの交流電圧を整流・平滑した直流電圧を入力して前記発振回路の発振動作によっ
て前記第２のトランスの２次巻線に電圧を誘起し、誘起した電圧を待機用のサブ電源とし
て出力するサブ電源生成回路と、
待機用のサブ電源により動作し電子機器および該電源装置を制御するシステム制御部と
、
電源のオン／オフ指示に応答して出力された前記システム制御部からのパワーオン信号
／パワーオフ信号を受けてパワーオン／パワーオフに対応する信号を出力する第３のスイ
ッチング素子と、この第３のスイッチング素子からの信号を入力して光結合により得た信
号を出力するフォトカプラとを有し、前記フォトカプラから出力された信号がパワーオフ
に対応する信号であれば、この信号を前記第１のスイッチング素子の制御端子に入力して
前記第１のスイッチング素子の動作を停止させ、これにより、前記メイン電源生成回路の
発振動作を停止させる発振動作制御回路とを備えたことを特徴とするスイッチング電源装
置。
【請求項２】
負荷となる電子機器に対して、通常動作用のメイン電源と待機用のサブ電源とを供給す
ることが可能なスイッチング電源装置において、
商用電源からの交流電圧を整流・平滑した直流電圧を入力して発振回路の発振動作によ
って通常動作用のメイン電源を生成して出力するメイン電源生成回路と、
商用電源からの交流電圧を整流・平滑した直流電圧を入力して発振回路の発振動作によ
って待機用のサブ電源を生成して出力するサブ電源生成回路と、
待機用のサブ電源により動作し電子機器および該電源装置を制御するシステム制御部と
、
電源のオフの指示に応答して出力された前記システム制御部からのパワーオフ信号を受
けて、前記メイン電源生成回路の発振動作を停止させる発振動作制御回路とを備えたこと
を特徴とするスイッチング電源装置。
【請求項３】
前記メイン電源生成回路は、第１のトランスの１次巻線と第１のスイッチング素子とを
含む発振回路を構成し、商用電源からの交流電圧を整流・平滑した直流電圧を入力して前
記発振回路の発振動作によって前記第１のトランスの２次巻線に電圧を誘起し、誘起した
電圧を電子機器の各部に供給する通常動作用のメイン電源として出力することを特徴とす
る請求項２に記載のスイッチング電源装置。
【請求項４】
前記サブ電源生成回路は、第２のトランスの１次巻線と第２のスイッチング素子とを含
む発振回路を構成し、商用電源からの交流電圧を整流・平滑した直流電圧を入力して前記
発振回路の発振動作によって前記第２のトランスの２次巻線に電圧を誘起し、誘起した電
圧を待機用のサブ電源として出力することを特徴とする請求項２に記載のスイッチング電
源装置。
【請求項５】
前記発振動作制御回路は、電源のオン／オフ指示に応答して出力された前記システム制
御部からのパワーオン信号／パワーオフ信号を受けてパワーオン／パワーオフに対応する
信号を出力する第３のスイッチング素子と、この第３のスイッチング素子からの信号を入
力して光結合により得た信号を出力するフォトカプラとを有し、前記フォトカプラから出
力された信号がパワーオフに対応する信号であれば、この信号を前記第１のスイッチング
素子の制御端子に入力して前記第１のスイッチング素子の動作を停止させ、これにより、
前記メイン電源生成回路の発振動作を停止させることを特徴とする請求項２，３に記載の
スイッチング電源装置。
【発明の詳細な説明】
【技術分野】
【０００１】
本発明は、負荷となる電子機器に対して、通常動作用のメイン電源と待機用のサブ電源
とを供給することが可能なスイッチング電源装置に関する。
【背景技術】
【０００２】
近年、ＴＶＣＲ(Television+Video Cassette Recorder)等の多機能化を図った電子機器
が多くなってきている。このような多機能化を図った電子機器に電源を供給する電源装置
は、出力容量、出力系統数の増加が著しく、このような電源装置には、安定化電圧を出力
するとともに、電源効率が良く、低消費電力化、小型化に有利であるスイッチング電源装
置が用いられている。
【０００３】
また、ＴＶＣＲ等の電子機器は、通常動作時以外の待機時にも電源を供給する必要があ
り、その待機時における消費電力を低減するため、そのような電子機器に電源を供給する
スイッチング電源装置には、電子機器内の各動作部を動作させるための通常動作用のメイ
ン電源（各動作部の動作に必要な出力電圧）を生成するメイン電源生成回路と、前記各動
作部の動作／停止等を制御する機能を含むシステム制御部であるマイクロコンピュータ（
以下、マイコンという）を動作させるための待機用のサブ電源（例えば５Ｖの電圧）を生
成するサブ電源生成回路とが備えられていることが多い。
【０００４】
メイン電源生成回路およびサブ電源生成回路は、共に商用電源からの交流電圧を整流・
平滑して得た入力直流電圧が与えられるトランスと、このトランスの１次巻線を介して前
記入力直流電圧が与えられるスイッチング素子を有している。そして、各スイッチング素
子がそれぞれオン／オフ制御されることにより、各トランスの２次巻線に発生する電圧を
整流・平滑することで各出力電圧を得るようにしている。
【０００５】
そして、リモコンなどから電子機器を電源オンする指示があった場合、この指示に応答
して出力された前記マイコンからのパワーオン信号により前記メイン電源生成回路を動作
させ、一方、電子機器を電源オフする指示があった場合、この指示に応答して出力された
前記マイコンからのパワーオフ信号により前記メイン電源生成回路の発振周波数を低下さ
せ、これにより、前記メイン電源生成回路における消費電力を削減し、待機時におけるス
イッチング電源装置の消費電力の低減を図っている。
【０００６】
また、特許文献１に記載の従来技術のように、２次側に相対的に電圧の高いメイン出力
と相対的に電圧の低いサブ出力とを備え、前記メイン出力の電圧を光結合手段を介して１
次側のスイッチング制御手段にフィードバックして定電圧制御動作を行うとともに、前記
メイン出力の系統の電力負荷が前記サブ出力の系統の負荷制御手段で動作制御され、待機
動作時には、前記負荷制御手段が前記電力負荷の動作を停止させ、前記光結合手段が擬似
的に間欠発振状態の出力電圧で点滅することにより、最低限の出力電圧とすることができ
るスイッチング電源装置も知られている。
【特許文献１】特開２００３−１９９３４０号公報
【特許文献２】特開平１１−１０３５４１号公報
【発明の開示】
【発明が解決しようとする課題】
【０００７】
しかしながら、上述したようなメイン電源生成回路とサブ電源生成回路を有する従来の
スイッチング電源装置は、電子機器を電源オフする指示があった場合、この指示に応答し
て出力されたマイコンからのパワーオフ信号によりメイン電源生成回路の発振周波数を低
下させ、これにより、メイン電源生成回路における消費電力を削減し、待機時におけるス
イッチング電源装置の消費電力の低減を図っているが、待機時においてもメイン電源生成
回路は発振周波数が低くても発振している状態であるので、この分、消費電力が多くなる
という課題があった。
【０００８】
また、特許文献１に記載の従来技術は、待機時に間欠発振状態にすることにより、メイ
ン出力の出力電圧を最低電圧に維持して消費電力の低減を図ることはできるが、メイン出
力を供給するための発振動作が完全に停止するわけではない。このようなスイッチング電
源装置は、通常、メイン出力を供給する負荷が定格負荷である場合に出力効率が最大とな
るように設計されており、最小負荷および待機時の負荷に関する出力効率については対策
がなされていないので、待機時において、間欠発振状態になるとはいえども、無駄な消費
電力が多くなるという課題があった。
【０００９】
なお、特許文献２に記載の従来技術においては、ＡＣプラグなどの商用電源入力部から
交流電源が機器の本体に供給され、本体には主電源（メイン電源）が含まれ、商用電源の
供給ラインにはリレーなどの開閉装置が設けられ、待機時には開閉装置を開状態にするこ
とによって、主電源をオフして消費電力の低減を図るように構成されたものであり、リレ
ーなどの開閉装置を用いない上記のようなスイッチング電源装置の構成とは異なる。
【００１０】
本発明は、上記のような課題を解決するためになされたもので、待機時における消費電
力を削減することができる機能を有するスイッチング電源装置を提供することを目的とす
る。
【課題を解決するための手段】
【００１１】
上記目的を達成するために、請求項１の発明は、負荷となる電子機器に対して、通常動
作用のメイン電源と待機用のサブ電源とを供給することが可能なスイッチング電源装置に
おいて、第１のトランスの１次巻線と第１のスイッチング素子とを含む発振回路を構成し
、商用電源からの交流電圧を整流・平滑した直流電圧を入力して前記発振回路の発振動作
によって前記第１のトランスの２次巻線に電圧を誘起し、誘起した電圧を電子機器の各部
に供給する通常動作用のメイン電源として出力するメイン電源生成回路と、第２のトラン
スの１次巻線と第２のスイッチング素子とを含む発振回路を構成し、商用電源からの交流
電圧を整流・平滑した直流電圧を入力して前記発振回路の発振動作によって前記第２のト
ランスの２次巻線に電圧を誘起し、誘起した電圧を待機用のサブ電源として出力するサブ
電源生成回路と、待機用のサブ電源により動作し電子機器および該電源装置を制御するシ
ステム制御部と、電源のオン／オフ指示に応答して出力された前記システム制御部からの
パワーオン信号／パワーオフ信号を受けてパワーオン／パワーオフに対応する信号を出力
する第３のスイッチング素子と、この第３のスイッチング素子からの信号を入力して光結
合により得た信号を出力するフォトカプラとを有し、前記フォトカプラから出力された信
号がパワーオフに対応する信号であれば、この信号を前記第１のスイッチング素子の制御
端子に入力して前記第１のスイッチング素子の動作を停止させ、これにより、前記メイン
電源生成回路の発振動作を停止させる発振動作制御回路とを備えたことを特徴とするスイ
ッチング電源装置を提供する。
【００１２】
この構成において、電源のオフ指示があると、システム制御部からはパワーオフ信号が
出力され、これにより、発振動作制御回路の第３のスイッチング素子はパワーオフ信号に
対応する動作を行ってフォトカプラを駆動させ、フォトカプラからパワーオフに対応する
信号が出力される。この信号を受けたメイン電源生成回路の第１のスイッチング素子は動
作が停止し、この結果、メイン電源生成回路は発振動作が停止してメイン電源の生成が行
われず、サブ電源生成回路からの待機用のサブ電源のみがシステム制御部に供給される。
したがって、この構成によれば、待機時にはメイン電源生成回路の発振動作を停止させる
ことができ、これにより、待機時における消費電力を削減することができる。また、メイ
ン電源生成回路の発振動作を停止させる機能を比較的簡単な回路構成で実現できるので、
コストアップに繋がるようなことはない。
【００１３】
請求項２の発明は、負荷となる電子機器に対して、通常動作用のメイン電源と待機用の
サブ電源とを供給することが可能なスイッチング電源装置において、商用電源からの交流
電圧を整流・平滑した直流電圧を入力して発振回路の発振動作によって通常動作用のメイ
ン電源を生成して出力するメイン電源生成回路と、商用電源からの交流電圧を整流・平滑
した直流電圧を入力して発振回路の発振動作によって待機用のサブ電源を生成して出力す
るサブ電源生成回路と、待機用のサブ電源により動作し電子機器および該電源装置を制御
するシステム制御部と、電源のオフの指示に応答して出力された前記システム制御部から
のパワーオフ信号を受けて前記メイン電源生成回路の発振動作を停止させる発振動作制御
回路とを備えたことを特徴とするスイッチング電源装置を提供する。
【００１４】
この構成において、電源のオフ指示があると、システム制御部からはパワーオフ信号が
出力され、これにより、発振動作制御回路はメイン電源生成回路の発振動作を停止させ、
サブ電源生成回路からの待機用のサブ電源のみがシステム制御部に供給される。したがっ
て、この構成によれば、待機時にはメイン電源生成回路の発振動作は停止し、これにより
、待機時における消費電力を削減することができる。また、メイン電源生成回路の発振動
作を停止させる機能を比較的簡単な回路構成で実現できるので、コストアップに繋がるよ
うなことはない。
【００１５】
請求項３の発明では、請求項２の発明において、前記メイン電源生成回路は、第１のト
ランスの１次巻線と第１のスイッチング素子とを含む発振回路を構成し、商用電源からの
交流電圧を整流・平滑した直流電圧を入力して前記発振回路の発振動作によって前記第１
のトランスの２次巻線に電圧を誘起し、誘起した電圧を電子機器の各部に供給する通常動
作用のメイン電源として出力するようにしたので、第１のトランスの１次巻線と第１のス
イッチング素子とを含む発振回路により、電子機器の各部に供給する安定した電圧の通常
動作用のメイン電源が生成できるようになる。
【００１６】
請求項４の発明では、請求項２の発明において、前記サブ電源生成回路は、第２のトラ
ンスの１次巻線と第２のスイッチング素子とを含む発振回路を構成し、商用電源からの交
流電圧を整流・平滑した直流電圧を入力して前記発振回路の発振動作によって前記第２の
トランスの２次巻線に電圧を誘起し、誘起した電圧を待機用のサブ電源として出力するよ
うにしたので、第２のトランスの１次巻線と第２のスイッチング素子とを含む発振回路に
より、システム制御部に供給する安定した電圧の待機用のサブ電源が生成できるようにな
る。
【００１７】
請求項５の発明では、請求項２，３の発明において、前記発振動作制御回路は、電源の
オン／オフ指示に応答して出力された前記システム制御部からのパワーオン信号／パワー
オフ信号を受けてパワーオン／パワーオフに対応する信号を出力する第３のスイッチング
素子と、この第３のスイッチング素子からの信号を入力して光結合により得た信号を出力
するフォトカプラとを有し、前記フォトカプラから出力された信号がパワーオフに対応す
る信号であれば、この信号を前記第１のスイッチング素子の制御端子に入力して前記第１
のスイッチング素子の動作を停止させ、これにより、前記メイン電源生成回路の発振動作
を停止させるようにしたので、電源のオフ指示があれば、前記メイン電源生成回路の発振
動作を停止させることができる構成を簡単に実現できる。
【発明の効果】
【００１８】
以上のように本発明によれば、負荷となる電子機器に対して、通常動作用のメイン電源
と待機用のサブ電源とを供給することが可能なスイッチング電源装置において、第１のト
ランスの１次巻線と第１のスイッチング素子とを含む発振回路を構成し、商用電源からの
交流電圧を整流・平滑した直流電圧を入力して前記発振回路の発振動作によって前記第１
のトランスの２次巻線に電圧を誘起し、誘起した電圧を電子機器の各部に供給する通常動
作用のメイン電源として出力するメイン電源生成回路と、第２のトランスの１次巻線と第
２のスイッチング素子とを含む発振回路を構成し、商用電源からの交流電圧を整流・平滑
した直流電圧を入力して前記発振回路の発振動作によって前記第２のトランスの２次巻線
に電圧を誘起し、誘起した電圧を待機用のサブ電源として出力するサブ電源生成回路と、
待機用のサブ電源により動作し電子機器および該電源装置を制御するシステム制御部と、
電源のオン／オフ指示に応答して出力された前記システム制御部からのパワーオン信号／
パワーオフ信号を受けてパワーオン／パワーオフに対応する信号を出力する第３のスイッ
チング素子と、この第３のスイッチング素子からの信号を入力して光結合により得た信号
を出力するフォトカプラとを有し、前記フォトカプラから出力された信号がパワーオフに
対応する信号であれば、この信号を前記第１のスイッチング素子の制御端子に入力して前
記第１のスイッチング素子の動作を停止させ、これにより、前記メイン電源生成回路の発
振動作を停止させる発振動作制御回路とを備えたので、待機時には前記メイン電源生成回
路の発振動作は停止し、これにより、待機時における消費電力を削減することができる。
また、メイン電源生成回路の発振動作を停止させる機能を比較的簡単な回路構成で実現で
きるので、コストアップに繋がるようなことはない。
【００１９】
また、本発明によれば、負荷となる電子機器に対して、通常動作用のメイン電源と待機
用のサブ電源とを供給することが可能なスイッチング電源装置において、商用電源からの
交流電圧を整流・平滑した直流電圧を入力して発振回路の発振動作によって通常動作用の
メイン電源を生成して出力するメイン電源生成回路と、商用電源からの交流電圧を整流・
平滑した直流電圧を入力して発振回路の発振動作によって待機用のサブ電源を生成して出
力するサブ電源生成回路と、待機用のサブ電源により動作し電子機器および該電源装置を
制御するシステム制御部と、電源のオフの指示に応答して出力された前記システム制御部
からのパワーオフ信号を受けて前記メイン電源生成回路の発振動作を停止させる発振動作
制御回路とを備えたので、待機時には前記メイン電源生成回路の発振動作は停止し、これ
により、待機時における消費電力を削減することができる。また、メイン電源生成回路の
発振動作を停止させる機能を比較的簡単な回路構成で実現できるので、コストアップに繋
がるようなことはない。
【発明を実施するための最良の形態】
【００２０】
図１は本発明の一実施形態に係るスイッチング電源装置の電気的構成を示す回路図であ
る。このスイッチング電源装置は、ＴＶＣＲ等の電子機器の電源装置として用いられ、電
子機器の動作に必要な電源を供給するものであり、トランス（第１のトランス）２９の１
次巻線２９ａとＦＥＴ（第１のスイッチング素子）１４とを含む発振回路を構成し、図示
しない商用電源からの交流電圧を整流・平滑した直流電圧を入力して前記発振回路の発振
動作によって前記トランス２９の２次巻線２９ｃ，２９ｄ，２９ｅに電圧を誘起し、誘起
した電圧を電子機器の各部に供給する通常動作用のメイン電源として出力するメイン電源
生成回路１を備えている。
【００２１】
また、このスイッチング電源装置は、トランス（第２のトランス）４５の１次巻線４５
ａとＦＥＴ（第２のスイッチング素子）５６とを含む発振回路を構成し、商用電源からの
交流電圧を整流・平滑した直流電圧を入力して前記発振回路の発振動作によってトランス
４５の２次巻線４５ｃに電圧を誘起し、誘起した電圧を待機用のサブ電源として出力する
サブ電源生成回路２と、待機用のサブ電源により動作し電子機器および該電源装置を制御
するシステム制御部としてのマイクロコンピュータ（以下マイコンという）３とを備えて
いる。
【００２２】
更に、このスイッチング電源装置は、電源のオン／オフ指示に応答して出力されたマイ
コン３からのパワーオン信号／パワーオフ信号を受けてパワーオン／パワーオフに対応す
る信号を出力するトランジスタ（第３のスイッチング素子）７５と、このトランジスタ７
５からの信号を入力して光結合により得た信号を出力するフォトカプラ７６とを有し、フ
ォトカプラ７６から出力された信号がパワーオフに対応する信号であれば、この信号をメ
イン電源生成回路１におけるＦＥＴ１４のゲートに入力してＦＥＴ１４の動作を停止させ
、これにより、メイン電源生成回路１の発振動作を停止させる発振動作制御回路４を備え
ている。
【００２３】
メイン電源生成回路１は、商用電源（図示せず）からの交流電圧を整流・平滑した入力
直流電圧ＶＩＮが与えられるトランス２９と、このトランス２９の１次巻線２９ａを介し
て入力直流電圧ＶＩＮが与えられるＭＯＳ型ＦＥＴ（電界効果トランジスタ、以下、ＦＥ
Ｔという）１４と、このＦＥＴ１４をスイッチング動作させる１次側回路（発振回路）を
備えており、ＦＥＴ１４をスイッチング動作させることによりトランス２９の２次巻線２
９ｃ，２９ｄ，２９ｅに誘起する電圧をＴＶＣＲの各部に供給する。
【００２４】
先ず、このメイン電源生成回路１における１次側回路の構成を説明する。１次巻線２９
ａの一端には入力直流電圧ＶＩＮが与えられ、１次巻線２９ａの他端はＦＥＴ１４のドレ
インに接続されている。また、ＦＥＴ１４のソースは並列に接続されたツェナーダイオー
ド１１と抵抗１２を介してアースに接続されるとともに、ダイオード１７を介してトラン
ジスタ１８のベースに接続されている。そして、抵抗１０を介して入力直流電圧ＶＩＮが
与えられるＦＥＴ１４のゲートは、並列に接続されたツェナーダイオード１９とコンデン
サ１５と抵抗１６を介してアースに接続されている。更に、ＦＥＴ１４のドレイン−ソー
ス間にはコンデンサ１３が接続されている。
【００２５】
また、ＦＥＴ１４のゲートは、ＮＰＮ型のトランジスタ１８のコレクタと、抵抗２２と
コンデンサ２３との直列回路を介してトランス２９の補助巻線２９ｂの一端とに接続され
、補助巻線２９ｂの他端とトランジスタ１８のエミッタとはアースに接続されている。な
お、ＦＥＴ１４のゲートは発振動作制御回路４にも接続されているが、この発振動作制御
回路４との接続、及びその動作等については後述する。
【００２６】
また、補助巻線２９ｂの一端は、ツェナーダイオード２４と抵抗２５との直列回路を介
してトランジスタ１８のベースに接続されるとともに、抵抗２６とダイオード２７を介し
てフォトカプラ２８の２次側のフォトトラジスタ２８ｂのコレクタに接続されている。そ
して、フォトトラジスタ２８ｂのエミッタは、抵抗２１を介してアースに接続されるとと
もに、トランジスタ１８のベースに接続されている。更に、トランジスタ１８のベースは
コンデンサ２０を介してアースに接続されている。
【００２７】
次に、トランス２９の２次側であるが、２次巻線２９ｃの一端から、例えば、ＴＶＣＲ
のブラウン管に与える高電圧を生成する高電圧系回路の電源としての電圧＋Ｂが出力され
る。また、２次巻線２９ｄの一端から、動作電圧として例えば、９Ｖを必要とする９Ｖ系
回路の電源としての電圧P-ON+9Vが出力され、２次巻線２９ｅの一端から、動作電圧とし
て例えば、１２Ｖを必要とするモータ駆動系回路等の１２Ｖ系回路の電源としての電圧P-
ON+12Vが出力される。各２次巻線２９ｃ、２９ｄ、２９ｅの他端はシグナルグランドに接
続されている。なお、シグナルグランドとアース間はコンデンサ６７を介して接続されて
いる。
【００２８】
また、２次巻線２９ｃの所定の位置に設けられたタップ２９ｆから、ダイオード２０と
コンデンサ２１との並列回路を介して、例えば、偏向系回路の電源としての電圧＋Ｄが出
力される。また、トランス２９の２次側から出力される電圧のいずれかが整流・平滑され
た直流電圧がＦ／Ｂ（フィードバック）電圧としてフォトカプラ２８の１次側の発光ダイ
オード２８ａに与えられるようになっている。
【００２９】
次に、このような構成を有するメイン電源生成回路１の発振時の動作を説明する。入力
直流電圧ＶＩＮが抵抗１０と抵抗１６とで分圧された分圧電圧がＦＥＴ１４のゲートに印
加され、ＦＥＴ１４がオンすると、１次巻線２９ａ、ＦＥＴ１４のドレイン−ソース間、
抵抗１２の経路で電流が流れる。
【００３０】
そして、この電流が抵抗１２を流れることにより生じた電圧がダイオード１７を介して
トランジスタ１８のベースに与えられ、トランジスタ１８がオンすることにより、トラン
ジスタ１８のコレクタ電位、即ち、ＦＥＴ１４のゲート電位がＬ（Ｌｏｗ）レベルになる
ので、ＦＥＴ１４はオフとなる。ＦＥＴ１４がオフとなるので、先ほどの電流は流れなく
なり、ＦＥＴ１４のソース電位、即ち、トランジスタ１８のベース電位がＬレベルとなる
ので、トランジスタ１８はオフする。トランジスタ１８がオフすると、再び、入力直流電
圧ＶＩＮが抵抗１０と抵抗１６とで分圧された分圧電圧がＦＥＴ１４のゲートに印加され
、ＦＥＴ１４がオンする。
【００３１】
このようにして、ＦＥＴ１４がオン／オフを繰り返すことにより、１次巻線２９ａには
パルス電流が流れ、このパルス電流により補助巻線２９ｂ、２次巻線２９ｃ、２９ｄ、２
９ｅにそれぞれの巻線比率に応じた電圧が誘起される。例えば、２次巻線２９ｃには１２
０Ｖ程度の電圧、タップ２９ｆには２０Ｖ〜３０Ｖの間の所定の電圧、２次巻線２９ｄに
は９Ｖ程度の電圧、２次巻線２９ｅには１２Ｖ程度の電圧が誘起され、それぞれの電圧は
、上述した高電圧系回路、偏向系回路、９Ｖ系回路、１２Ｖ系回路にそれぞれの動作用電
源として供給される。
【００３２】
また、これらのトランス２９の２次側から供給されている電圧が整流、平滑された直流
電圧がＦ／Ｂ電圧としてフォトカプラ２８の１次側の発光ダイオード２８ａに与えられ、
このＦ／Ｂ電圧が所定の電圧を超えた場合に発光ダイオード２８ａがオンするようになっ
ている。
【００３３】
発光ダイオード２８ａがオンすると、フォトカプラ２８の２次側のフォトトランジスタ
２８ｂがオンして、補助巻線２９ｂに誘起されている電圧が抵抗２６およびダイオード２
７を介してトランジスタ１８のベースに与えられることになる。これにより、トランジス
タ１８がオンするので、トランジスタ１８のコレクタ電位、即ち、ＦＥＴ１４のゲート電
位がＬレベルになるので、ＦＥＴ１４はオフとなり、２次巻線２９ｃ、２９ｄ、２９ｅに
誘起される電圧は低下する。
【００３４】
そして、Ｆ／Ｂ電圧が所定の電圧より小さくなると、発光ダイオード２８ａはオフし、
フォトトランジスタ２８ｂもオフするので、補助巻線２９ｂに誘起されている電圧がトラ
ンジスタ２８のベースに与えられなくなり、トランジスタ２８はオフすることになる。ト
ランジスタ２８がオフすると、入力直流電圧ＶＩＮが抵抗１０と抵抗１６とで分圧された
分圧電圧がＦＥＴ１４のゲートに印加されＦＥＴ１４がオンし、再び、上述したように、
ＦＥＴ１４のオン／オフが繰り返される。
【００３５】
このようにして、トランス２９の２次側から出力される各電圧が、それぞれの所定の電
圧になるようにフィードバック制御されている。
【００３６】
次に、サブ電源生成回路２の構成について説明する。このサブ電源生成回路２は、入力
直流電圧ＶＩＮが与えられるトランス４５と、このトランス４５の１次巻線４５ａを介し
て入力直流電圧ＶＩＮが与えられるＦＥＴ５６とＦＥＴ５６をスイッチング動作させる１
次側回路（発振回路）と、ＦＥＴ５６をスイッチング動作させることによりトランス４５
の２次巻線４５ｃに誘起する電圧を整流・平滑した電圧を、マイコン３に電源として供給
する２次側回路とを備えている。
【００３７】
先ず、このサブ電源生成回路２における１次側回路の構成について説明する。１次巻線
４５ａの一端には抵抗５７を介して入力直流電圧ＶＩＮが与えられ、１次巻線４５ａの他
端はＦＥＴ５６のドレインに接続されている。また、ＦＥＴ５６のソースは抵抗６８を介
してアースに接続されるとともに、ダイオード５９を介してＮＰＮ型のトランジスタ６２
のベースに接続されている。トランジスタ６２のエミッタはアースに接続され、トランジ
スタ６２のベースとアース間には、コンデンサ６０と抵抗６１とが並列に接続されている
。
【００３８】
また、抵抗６４、６５を介して入力直流電圧ＶＩＮが与えられるＦＥＴ５６のゲートは
、ツェナーダイオード６３を介してアースに接続されるとともに、トランジスタ６２のコ
レクタに接続されている。そして、ＦＥＴ５６のゲート−ソース間にはコンデンサ５８が
接続されている。なお、ＦＥＴ５６のゲートは発振動作制御回路４にも接続されているが
、この発振動作制御回路４との接続、及びその動作等については後述する。
【００３９】
また、補助巻線４５ｂの一端は、コンデンサ６６を介して抵抗６４，６５の接続点に接
続され、補助巻線４５ｂの他端はアースに接続されている。また、補助巻線４５ｂの一端
は、ダイオード５５と抵抗５４を介してフォトカプラ５３の２次側のフォトトラジスタ５
３ｂのコレクタに接続され、フォトトラジスタ５３ｂのエミッタは、トランジスタ６２の
ベースに接続されている。
【００４０】
次に、このサブ電源生成回路２における２次側回路の構成について説明する。２次巻線
４５ｃの一端はダイオード４４のアノードに接続され、ダイオード４４のカソードはコイ
ル４１の一端に接続され、コイル４４の他端は電源ラインＡＬＬ＋５Ｖに接続されるとと
もに、電解コンデンサ４０を介してシグナルグランドに接続されている。また、２次巻線
４５ｃの他端はシグナルグランドに接続され、ダイオード４４のカソードとシグナルグラ
ンド間には電解コンデンサ４３とツェナーダイオード４２が並列に接続されている。
【００４１】
また、ダイオード４４のカソードは、抵抗４８、４９の直列回路を介してシグナルグラ
ンドに接続されるとともに、抵抗４６を介してフォトカプラ５３の１次側の発光ダイオー
ド５３ａのアノードと、抵抗４７を介してシャントレギュレータ５２のカソードに接続さ
れている。そして、発光ダイオード５３ａのカソードはシャントレギュレータ５２のカソ
ードに接続され、シャントレギュレータ５２のアノードはシグナルグランドに接続されて
いる。また、抵抗４８、４９の接続点がシャントレギュレータ５２のリファレンス端子に
接続されるとともに、抵抗５０とコンデンサ５１の直列回路を介してシャントレギュレー
タ５２のカソードに接続されている。
【００４２】
次に、このような構成を有するサブ電源生成回路２の発振時の動作について説明する。
入力直流電圧ＶＩＮが抵抗６４、６５を介して与えられたツェナーダイオード６３のカソ
ードの電位はツェナーダイオード６３のツェナー電圧となる。そして、この電圧がＦＥＴ
５６のゲートに印加されＦＥＴ５６がオンすると、抵抗５７、１次巻線４５ａ、ＦＥＴ５
６のドレイン−ソース間、抵抗６８の経路で電流が流れる。
【００４３】
そして、この電流が抵抗６８を流れることにより生じた電圧がダイオード５９を介して
トランジスタ６２のベースに与えられ、トランジスタ６２がオンすることにより、トラン
ジスタ６２のコレクタ電位、即ち、ＦＥＴ５６のゲート電位がＬレベルになるので、ＦＥ
Ｔ５６はオフとなる。ＦＥＴ５６がオフとなるので、先ほどの電流は流れなくなり、ＦＥ
Ｔ５６のソース電位、即ち、トランジスタ６２のベース電位がＬレベルとなるので、トラ
ンジスタ６２はオフする。トランジスタ６２がオフすると、再び、ツェナーダイオード６
３のツェナー電圧がＦＥＴ５６のゲートに印加されＦＥＴ５６がオンする。
【００４４】
このようにして、ＦＥＴ５６がオン／オフを繰り返すことにより、１次巻線４５ａには
パルス電流が流れ、このパルス電流により補助巻線４５ｂ、２次巻線４５ｃにそれぞれの
巻線比率に応じた電圧が誘起される。そして、２次巻線４５ｃに誘起された電圧は、ダイ
オード４４、電解コンデンサ４３によって整流、平滑されて、例えば、５Ｖの直流電圧と
なり、コイル４１、電解コンデンサ４０によって更に脈流が取り除かれた後、電源ライン
ＡＬＬ＋５Ｖに供給される。
【００４５】
また、コンデンサ４３の出力電圧が抵抗４８、４９で分圧された分圧電圧がシャントレ
ギュレータ５２にレファレンス電圧として与えられ、シャントレギュレータ５２は、この
分圧電圧と内部基準電圧とを比較してカソード−アノード間のインピーダンスを決定する
。従って、この分圧電圧、即ち、コンデンサ４３の出力電圧に応じてシャントレギュレー
タ５２のカソードの電位が変化する。このカソード電位は、コンデンサ４３の出力電圧が
、例えば、５Ｖを超えたときにフォトカプラ５３の発光ダイオード５３ａがオンする電位
になるように設定されている。
【００４６】
発光ダイオード５３ａがオンすると、フォトカプラ５３の２次側のフォトトランジスタ
５３ｂがオンして、補助巻線４５ｂに誘起されている電圧がダイオード５５および抵抗５
４を介してトランジスタ６２のベースに与えられることになる。これにより、トランジス
タ６２がオンするので、トランジスタ６２のコレクタ電位、即ち、ＦＥＴ５６のゲート電
位がＬレベルになるので、ＦＥＴ５６はオフとなり、２次巻線４５ｃに誘起される電圧は
低下する。
【００４７】
そして、コンデンサ４３の出力電圧が小さくなると、シャントレギュレータ５２のカソ
ード電位は上昇し、発光ダイオード５３ａはオフ、フォトカプラ５３の２次側のフォトト
ランジスタ５３ｂもオフするので、補助巻線４５ｂに誘起されている電圧がトランジスタ
６２のベースに与えられなくなり、トランジスタ６２はオフすることになる。トランジス
タ６２がオフすると、ツェナーダイオード６３のツェナー電圧がＦＥＴ５６のゲートに印
加されＦＥＴ５６がオンし、再び、上述したように、ＦＥＴ５６のオン／オフが繰り返さ
れる。
【００４８】
このようにして、コンデンサ４３の出力電圧、即ち、電源ラインＡＬＬ＋５Ｖに供給さ
れる直流電圧が、マイコン３の動作に必要な所定の電圧（例えば、５Ｖ）になるようにフ
ィードバック制御されている。
【００４９】
次に、発振動作制御回路４の構成について説明する。この発振動作制御回路４は、電源
のオン／オフ指示に応答して出力されたマイコン３からのパワーオン信号／パワーオフ信
号を受けてパワーオン／パワーオフに対応する信号を出力するＰＮＰ型のトランジスタ（
第３のスイッチング素子）７５と、このトランジスタ７５からの信号を入力して光結合に
より得た信号を出力するフォトカプラ７６とを有し、フォトカプラ７６から出力された信
号がパワーオフに対応する信号であれば、この信号を前記ＦＥＴ（第１のスイッチング素
子）１４のゲートに入力してＦＥＴ１４の動作を停止させ、これにより、前記メイン電源
生成回路１の発振動作を停止させるように構成されている。
【００５０】
トランジスタ７５のエミッタは抵抗７１を介して電源ラインＡＬＬ＋５Ｖに接続されて
いる。トランジスタ７５のエミッタ−ベース間には抵抗７２が接続され、そのベースは抵
抗７３，７４を介してシグナルグランドに接続されている。抵抗７３と抵抗７４との接続
点はマイコン３の制御信号ライン７９に接続されている。トランジスタ７５のコレクタは
フォトカプラ７６の１次側の発光ダイオード７６ａのアノードに接続されている。発光ダ
イオード７６ａのカソードはシグナルグランドに接続されている。フォトカプラ７６の２
次側のフォトトランジスタ７６ｂのコレクタは、抵抗７７を介してメイン電源生成回路１
のＦＥＴ１４のゲートに接続され、フォトトランジスタ７６ｂのエミッタは、抵抗７８を
介してアースに接続されている。
【００５１】
このような構成を有する発振動作制御回路４の動作について説明する。負荷となる例え
ば、ＴＶＣＲが待機状態であるときは、次のような動作状態になっている。即ち、メイン
電源生成回路１は発振動作が停止しており、メイン電源は出力されていないが、サブ電源
生成回路２は動作しているので、マイコン３には待機用のサブ電源が供給されている。し
たがって、待機状態であっても、マイコン３は動作しているので、リモコンからの電源オ
フ指示に応答して制御ライン７９にはＨレベルのパワーオフ信号が出力されている。
【００５２】
これにより、トランジスタ７５のベース電位が上がってトランジスタ７５がオンされて
おり、電源ラインＡＬＬ＋５Ｖからの電流がフォトカプラ７６の発光ダイオード７６ａに
流れ、発光ダイオード７６ａが発光している。この光を受光しているフォトトランジスタ
７６ｂはオンしており、メイン電源生成回路１のＦＥＴ１４のゲートがＬレベルに引っ張
られ、ＦＥＴ１４の動作が停止していてメイン電源生成回路１の発振動作が停止している
。
【００５３】
このような待機状態のとき、ＴＶＣＲを電源オンするためリモコンの電源キーを押下す
ると、リモコンからのオン指示に応答して、マイコン３は制御信号ライン７９にＬレベル
のパワーオン信号を出力する。これにより、トランジスタ７５のベース電位が下がってト
ランジスタ７５がオフされ、電源ラインＡＬＬ＋５Ｖからフォトカプラ７６の発光ダイオ
ード７６ａに流れる電流が遮断され、発光ダイオード７６ａが消灯する。この結果、フォ
トトランジスタ７６ｂはオフされ、メイン電源生成回路１のＦＥＴ１４のゲートは発振動
作制御回路４の出力には関係なくなり、ＦＥＴ１４は通常の発振動作を行い、これにより
、メイン電源生成回路１は発振動作を行ってメイン電源を生成して出力し、負荷であるＴ
ＶＣＲを駆動させる。
【００５４】
そして、ＴＶＣＲを電源オフするためリモコンの電源キーを押下すると、リモコンから
のオフ指示に応答して、マイコン３は制御信号ライン７９にＨレベルのパワーオフ信号を
出力する。これにより、トランジスタ７５のベース電位が上がってトランジスタ７５がオ
ンされ、電源ラインＡＬＬ＋５Ｖからの電流がフォトカプラ７６の発光ダイオード７６ａ
に流れ、発光ダイオード７６ａが発光する。この光を受光したフォトトランジスタ７６ｂ
はオンし、メイン電源生成回路１のＦＥＴ１４のゲートがＬレベルに引っ張られ、ＦＥＴ
１４の動作が停止してメイン電源生成回路１の発振動作が停止する。
【００５５】
以上説明したように本実施形態によれば、電源のオフ指示があると、マイコン３からは
Ｈレベルのパワーオフ信号が出力され、これにより、発振動作制御回路４のトランジスタ
７５はオン動作を行ってフォトカプラ７６を駆動させ、フォトカプラ７６からパワーオフ
に対応するＬレベル信号が出力される。このＬレベル信号を受けたＦＥＴ１４は動作が停
止し、この結果、メイン電源生成回路１は発振動作が停止してメイン電源の生成が行われ
ず、サブ電源生成回路２からの待機用のサブ電源のみがマイコン３に供給される。したが
って、待機時にはメイン電源生成回路１の発振動作は停止し、これにより、待機時におけ
る消費電力を削減することができる。例えば、待機電力１Ｗ未満を満たすように、メイン
電源生成回路１の発振動作を停止させることができる。また、メイン電源生成回路１の発
振動作を停止させる機能を比較的簡単な回路構成で実現できるので、コストアップに繋が
るようなことはない。
【００５６】
なお、本発明は、上述の実施形態に限定されるものではなく、本発明の趣旨を逸脱しな
い範囲において各部の構成等を適宜に変更して実施することも可能である。
【図面の簡単な説明】
【００５７】
【図１】本発明の一実施形態に係るスイッチング電源装置の構成を示す回路図である。
【符号の説明】
【００５８】
１    メイン電源生成回路
２    サブ電源生成回路
３    マイクロコンピュータ（システム制御部）
４    発振動作制御回路
１４    ＦＥＴ（第１のスイッチング素子）
２９    トランス（第１のトランス）
４５    トランス（第２のトランス）
５６    ＦＥＴ（第２のスイッチング素子）
７５    トランジスタ（第３のスイッチング素子）
７６    フォトカプラ
【図１】
2006014508.tif 000003